(57)【要約】【課題】文字情報の情報表示部を液晶における背面照明に比して遥かに微弱な消費電力で使え、その情報表示部に側面からの照明により良好な視認性を与えることで、緊急災害時において最も効力を発揮するＦＭ文字多重放送受信機を提供する。【解決手段】アンテナとＦＭチューナ部と、前記アンテナの受信した信号に含まれるＦＭ文字多重放送の番組データを復調するＦＭ多重信号デコーダと、前記ＦＭ文字多重放送の番組データを記憶する記憶部と、前記ＦＭ文字多重放送の番組データを表示する電気泳動型の表示パネルの情報表示部を有するＦＭ文字多重放送受信機を製造する。【選択図】図２
2009081787.tif 000002
【特許請求の範囲】
【請求項１】
アンテナとＦＭチューナ部と、前記アンテナの受信した信号に含まれるＦＭ文字多重放送の番組データを復調するＦＭ多重信号デコーダと、前記ＦＭ文字多重放送の番組データを記憶する記憶部と、前記ＦＭ文字多重放送の番組データを表示する電気泳動型の表示パネルの情報表示部を有することを特徴とするＦＭ文字多重放送受信機。
【請求項２】
前記電気泳動型の表示パネルが、透明分散媒中に２種類の色の電気泳動粒子を分散した分散液を封入したマイクロカプセルから成るカプセル型電気泳動層を、前面電極板と背面電極板で挟み込んだ構造であることを特徴とする請求項１記載のＦＭ文字多重放送受信機。
【請求項３】
前記透明分散媒中の前記電気泳動粒子が白色粒子と黒色粒子であることを特徴とする請求項２記載のＦＭ文字多重放送受信機。
【発明の詳細な説明】
【技術分野】
【０００１】
本発明は、ＦＭラジオ放送電波に多重されて放送局から送出される番組関連情報、天気情報などのデジタルデータを受信し、受信したデジタルデータを表示するＦＭ文字多重放送受信機に関する。
【背景技術】
【０００２】
放送技術の高度な進展により電波によって提供される放送は非常に多岐に亘っている。従来より多くの人々が利用してきたＡＭラジオ放送、ＦＭラジオ放送、地上波テレビ放送は言うに及ばず、衛星からの電波による衛星放送も広く一般に普及しており、ラジオ方法においてはＦＭ文字多重放送が行なわれ、テレビにおいてはデジタル信号による放送が行なわれている。
【０００３】
これらの放送を受信する形態も技術の進展により多様化している。地上波デジタルテレビジョン放送においてはチャンネル内の１つのセグメントを携帯端末での受信用途に割り当てることによる放送、所謂ワンセグ放送が普及しつつあり、かつてのトランジスタラジオ受信機の様に手軽にテレビを受信できる時代となっている。
【０００４】
この様な携帯可能な情報端末がその本来の役割を最大限に発揮する場の一つが緊急災害時である。被災地域においては小型でなければ携帯できず、電源または情報源と優先的に繋がらなければ機能しないものでは役に立たない為である。しかし、テレビ放送では電波の伝播域の広さから被災者にとって緊急的に必要な放送よりは被害状況など概括的な放送が中心となること、また携帯テレビ受像機は消費電力が大きい事を考慮すると、緊急災害時においてはラジオ受信機が最も有用である。中でもＦＭ放送において為されているＦＭ文字多重放送における番組は、文字情報であるため、内容を記録して必要に応じていつでも見ることができるという点で、緊急時にあっては非常に有用性の高い情報媒体となる。
【０００５】
従ってこれまでにも緊急時におけるＦＭ文字多重放送の緊急災害時用の番組の受信を考慮したラジオ受信機に関する提案が、例えば特許文献１など様々に為されている。しかしこれらの特許文献での技術は緊急番組を滞りなく受信する技術に関するものであり、受信した情報の表示方法に関しては触れられていなかった。また、特許文献２の様に表示方法について提案しているものもあるが、これらは皆液晶による表示である。
【０００６】
以下に公知文献を記す。
【特許文献１】特開平１０−１２６２８５号公報
【特許文献２】特開平９−２６１１８９号公報
【発明の開示】
【発明が解決しようとする課題】
【０００７】
ラジオ受信機が他の携帯情報端末と比較して消費電力が低いことで緊急災害時などに最も重宝であることは上述の通りであるが、ＦＭ文字多重放送の受信も可能である受信機についてはその情報の表示方法により消費電力に差が生ずる。現在小型の携帯ラジオ受信機において最も広く使用されているモノクロの反射型の液晶画面による情報表示部ではそれ自身による消費電力はきわめて低いが、コントラストが低い為に視認性の点に問題があるため、明るい屋外においては紙への印刷物ほどの視認性が得られず、周囲が暗い際には可視化するため、背面照明（バックライト）を使用する必要があった。また、モノクロ反射型液晶画面では視角によっても視認性が悪化する問題があった。このため、背面照明を使用し、それにより情報表示部の電力消費が高くなりラジオ受信機としての電池寿命を著し
く短縮する問題があった。それ以外に、携帯電話などの表示方法として使用される自発発光型の情報表示部もあるが、この場合は、自発発光である為に消費電力が高く、明るい屋外においては周囲の明るさの為にその視認性は著しく低下する問題があった。
【０００８】
こうして、緊急災害時などに使用される際においては、音声情報と文字情報とを他の情報端末に比べ低い消費電力で電池を交換せずに長時間使えることが利点であるＦＭ文字多重放送受信機能付きラジオ受信機は、その文字情報の情報表示部の視認性を確保するために背面照明を用いることで消費電力を上げるので、その利点が無くなる問題があった。
【０００９】
そこで本発明は、文字情報の情報表示部を液晶における背面照明に比して遥かに微弱な消費電力で使え、その情報表示部に側面からの照明により良好な視認性を与えることで、緊急災害時において最も効力を発揮するＦＭ文字多重放送受信機を提供する事を目的とする。
【課題を解決するための手段】
【００１０】
本発明は、この課題を解決するために、アンテナとＦＭチューナ部と、前記アンテナの受信した信号に含まれるＦＭ文字多重放送の番組データを復調するＦＭ多重信号デコーダと、前記ＦＭ文字多重放送の番組データを記憶する記憶部と、前記ＦＭ文字多重放送の番組データを表示する電気泳動型の表示パネルの情報表示部を有することを特徴とするＦＭ文字多重放送受信機である。
【００１１】
また、本発明は、上記電気泳動型の表示パネルが、透明分散媒中に２種類の色の電気泳動粒子を分散した分散液を封入したマイクロカプセルから成るカプセル型電気泳動層を、前面電極板と背面電極板で挟み込んだ構造であることを特徴とする上記のＦＭ文字多重放送受信機である。
【００１２】
また、本発明は、上記透明分散媒中の上記電気泳動粒子が白色粒子と黒色粒子であることを特徴とする上記のＦＭ文字多重放送受信機である。
【発明の効果】
【００１３】
本発明は、ＦＭ文字多重放送受信機能を持つラジオ受信機において、文字情報の情報表示部に電気泳動型の表示パネルを用いることにより、視角による視認性の変化がなく屋外の明るい環境下にあっても視認性が高く、反対に周囲の暗い環境下においても液晶における背面照明に比して遥かに微弱な照明により良好な視認性を確保できる効果がある。そのために携帯性にきわめて優れた受信機を得ることができる効果がある。また、緊急災害時においても効力を発揮する、極めて低消費電力のＦＭ文字多重放送受信機が得られる効果がある。
【発明を実施するための最良の形態】
【００１４】
以下に本発明の実施形態について図を用いて説明する。図１は発明の実施の形態のＦＭ文字多重放送受信機の構成の概略を示すブロック図である。図中の１はＦＭ変調波を受信するアンテナ、２はアンテナ１を通して受信した電波から任意所定の周波数を検波し増幅するＦＭチューナ部、３は受信信号に含まれる文字情報を復調するＦＭ多重信号デコーダ、４は復調したＦＭ文字多重放送の番組データを格納する記憶素子から成る記憶部、５は記憶部４とデータの遣り取りを行なう等の処理を行なうシステム制御部、６がシステム制御部５で編集されたデータを表示する情報表示部である。
【００１５】
図１のブロック図において、アンテナ１はＦＭ放送局から送信される文字情報の重畳されたＦＭ電波を受信し、ＦＭチューナ部２へ搬送波信号を送る。ＦＭチューナ部２は、アンテナ１で受信された電波を検波し、信号を増幅した後ＦＭ多重信号デコーダ３に送出す
る。ＦＭ多重信号デコーダ３では増幅された受信信号に含まれるＦＭ文字多重放送の番組データを復調し、記憶部４に格納する。システム制御部５は記憶部４に格納されている番組データを読み出して情報表示部６に表示させる。
【００１６】
（情報表示部）
次に文字情報を表示する情報表示部６の構成について説明する。本発明は図２に断面図を示すような電気泳動型の表示パネルから成る情報表示部６を以下のようにして製造する。先ず、白色粒子９と着色粒子１１の電気泳動粒子を透明分散媒１０に内包させた分散液から成るマイクロカプセル１７を含有するインキを用意する。透明基材７上に透明電極８を設けた前面電極板１６を用意する。そして、このインキをその前面電極板１６上に塗布することでカプセル型電気泳動層を形成する。次に、背面基材１５上の画素電極１４を形成した背面電極板１８を用意する。そして、先に形成したカプセル型電気泳動層上に透明な接着剤層１３を介してその背面電極板１８をラミネートすることにより電気泳動型の表示パネルを製造する。尚、図２は模式図であり、同図に描かれている各層の厚さは、実際の厚さを反映したものではない。実際には、カプセル型電気泳動層は通常、数十μｍ程度の非常に薄い膜を成すように形成され、一方、前面電極板１６および背面電極板１８はそれよりも遥かに厚い層を成すように形成されている。
【００１７】
透明分散媒１０は、脂肪族炭化水素、芳香族炭化水素、脂環式炭化水素、ハロゲン化炭化水素、各種エステル類、アルコール系溶媒、またはその他の脂等を単独または適宜混合した溶媒を用いることができる。ふるい分け、比重分離法などの任意の方法により精製されたマイクロカプセル１７のインキ中の平均粒径は４０〜７０μｍである。
【００１８】
電気泳動粒子のうち、着色粒子１１は、無機炭素等の無機顔料のほか、ガラスあるいは樹脂等の微粉末、さらにはこれらの複合体などを使用する。電気泳動粒子のうち、白色粒子９は、公知の酸化チタン、シリカ、アルミナ、酸化亜鉛等の白色無機顔料、酢酸ビニルエマルジョンなどの有機化合物、さらにはこれらの複合体などを使用する。なお、着色粒子１１と白色粒子９との電気泳動粒子は必要に応じて、粒子の表面を種々の界面活性剤、分散剤、有機および無機化合物、金属等を用いて処理することで所望の表面電荷を付与することができるのみならず、透明分散媒１０中での分散安定性を向上させることができる。
【００１９】
電気泳動粒子が透明分散媒１０に分散した分散液は、混合コアセルベーション法等の相分離法、界面重合法、ｉｎ−ｓｉｔｕ法、溶解分散冷却法等、公知の方法を用いて作成させるマイクロカプセル１７に封入する。マイクロカプセル１７は例えばゴムやゼラチン状である。
【００２０】
前面電極板１６は透明基材７上に透明電極８が設置されている。透明基材７としてはポリエチレンテレフタレート（ＰＥＴ）やポリカーボネート、ポリイミド、ポリエチレンナフタレート、ポリエーテルスルホン、アクリル樹脂、ポリ塩化ビニル等のプラスチックフィルム、あるいはガラス等が挙げられる。透明電極８は例えば酸化インジウム系、酸化スズ系、酸化亜鉛系のような透明性を有する電気伝導性酸化物等が用いられる。この形成には蒸着法、スパッタ法、ＣＶＤ法などの従来技術が用いられる。
【００２１】
カプセル型電気泳動層は前記のようにマイクロカプセル１７含有インキを、前面電極板１６上に塗工する。塗工方法としては、マイクログラビアコーター、キスコーター、コンマコーター、ダイコーター、バーコーダー、カーテンコーターなどの方法によって行う。これを透明な接着剤層１３とラミネーションをすることにより電気泳動型表示パネル用前面基板を作製する。
【００２２】
この電気泳動型表示パネル用前面基板に、画素電極１４の配置された背面電極板１８をラミネーションすることにより、本発明のＦＭ文字多重放送受信機における電気泳動型の表示パネルの情報表示部６を製造する。以下、本発明について実施例に基づきその効果について詳述する。
【実施例】
【００２３】
本発明の効果を確認すべく、上記の如き電気泳動型の表示パネルによる情報表示部６と、従来よりあるモノクロの反射型液晶表示パネルとを用意し、これらの消費電力量と視認性とを比較した。以下に、本発明の情報表示部６の電気泳動型の表示パネルの製造方法の実施例を説明する。
【００２４】
（情報表示部の製造方法）
（マイクロカプセル含有インキの作製）
先ず、ＩＳＯＰＡＲＧ溶媒の透明分散媒１０に、ポリエチレン樹脂で表面を被覆した酸化チタン粉末の白色粒子９と、カーボンブラック粒子の黒色粒子から成る着色粒子１１とが分散された分散液を作製した。
【００２５】
次に、この分散液について、水にゼラチンとポリスチレンスルホン酸ナトリウムとを配合した水溶液と混合し、液温を４０℃に調整した後、液温を保ちながら、ホモジナイザーにより攪拌し、Ｏ／Ｗエマルジョンを得た。
【００２６】
次に、得られたＯ／Ｗエマルジョンと、４０℃に調製された水にアラビアゴムを配合した水溶液とを、ディスペンサーを用いて混合し、溶液の液温を４０℃に維持しつつ、酢酸を用いて溶液のｐＨを４に調整し、コアセルベーションによりマイクロカプセル殻１２を形成した。
【００２７】
更に、液温を５℃に低下させた後、３７重量％ホルマリン溶液を加えてマイクロカプセル殻１２を硬化させ、酸化チタン粒子の白色粒子９と黒色粒子の着色粒子１１との電気泳動粒子が透明分散媒１０に分散した分散液を封入したマイクロカプセル１７を得、篩い分けにより、平均粒径が５０μｍ、４０−６０μｍの粒径の割合が７５％以上のマイクロカプセル１７の溶液Ｃを得た。
【００２８】
次に、このマイクロカプセル１７の溶液Ｃを調整し、固形分４０重量％の水分散混合のマイクロカプセル１７の溶液を作製し、これに固形分４０重量％のウレタン系バインダ、界面活性剤、増粘剤、純水を混合することでマイクロカプセル１７含有インキを作製した。
【００２９】
（電気泳動型の表示パネルの組み立て）
次に、ＰＥＴから成る透明基材７にＩＴＯで透明電極８を形成したＩＴＯ／ＰＥＴ構成の前面電極板１６に、このマイクロカプセル１７含有インキを、スロットダイにより塗布した。塗布後６０℃で１０分間乾燥し、得られたシートをポリエステルーウレタン系の透明な接着剤層１３により、背面基材１５上に画素電極１４を形成した背面電極板１８（ＴＦＴ基板）に５ｋｇ／ｃｍ2の圧力で貼り合せた。こうして、透明分散媒１０中に２種類の色の電気泳動粒子を分散した分散液を封入したマイクロカプセル１７から成るカプセル型電気泳動層を、透明基材７と透明電極８から成る前面電極板１６と背面電極板１８で挟み込んだ電気泳動型の表示パネルを得、情報表示部６に用いた。
【００３０】
この電気泳動型の表示パネルの情報表示部６は、ＦＭ文字多重放送の規格にして２ページ分である１５文字４行（１ページは１５文字２行）を表示するものであり、上記電気泳動型の表示パネルのサイズは縦（行方向）１７ｍｍ、横（桁方向）５２ｍｍとした。また
、比較のため、同サイズの液晶パネルの表示パネルを用意した。
【００３１】
（情報表示部の消費電力の検査）
情報表示部６とする電気泳動型の表示パネルと、比較する液晶表示パネルに対して、ＦＭ文字多重放送における文字情報を想定したパターンを５種類用意し、文字情報の更新頻度を１分とした場合を仮定し、この５種のパターンを１分毎に表示させる方法で１時間稼動させ、その場合の両パネルの平均消費電力を測定した。
【００３２】
その結果、内部の照明を使用しない場合には電気泳動型の表示パネルでは６ｍＷ、液晶表示パネルでは１３ｍＷであり、前者の消費電力が低い結果が得られた。また、電気泳動型の表示パネルにおいては側面からの照明、液晶表示パネルについてはバックライトを更新時に１５秒間使用した場合の消費電力は電気泳動型の表示パネルでは２１ｍＷ、液晶表示パネルでは５２ｍＷであり、消費電力の差が更に広がる結果を得た。そのため、本発明は、液晶における背面照明に比して遥かに微弱な側面からの照明により良好な視認性を発揮できる効果がある。
【００３３】
（情報表示部の視認性の検査）
次に両表示パネルについて、その背景の明部の反射率を測定したところ電気泳動型の表示パネルは平均値にして４５．４％、液晶表示パネルでは同３７．９％となり、視認性についても本発明の電気泳動型の表示パネルが優れているという結果を得た。すなわち、本発明は、周囲の明るい屋外での携帯時に視認性が優れ、また、周囲の暗い環境下においても、視角による視認性が悪化しない効果がある。
【図面の簡単な説明】
【００３４】
【図１】本発明の実施形態のＦＭ文字多重放送受信機の構成の概略を示すブロック図である。
【図２】本発明の実施形態の電気泳動型の表示パネルを模式的に示す断面図である。
【符号の説明】
【００３５】
１・・・アンテナ
２・・・ＦＭチューナ部
３・・・ＦＭ多重信号デコーダ
４・・・記憶部
５・・・システム制御部
６・・・情報表示部
７・・・透明基材
８・・・透明電極
９・・・白色粒子
１０・・・透明分散媒
１１・・・着色粒子
１２・・・マイクロカプセル殻
１３・・・接着剤層
１４・・・画素電極
１５・・・背面基材
１６・・・前面電極板
１７・・・マイクロカプセル
１８・・・背面電極板
【図１】
2009081787.tif 000003
【図２】
2009081787.tif 000004